(57)【要約】  【課題】  ショート端子を用いて内部回路の接点回路部にショート回路を形成する電気接続箱において、ショート端子の誤挿入を防止する。  【解決手段】  ショート端子２１はジョイント部２１ａから複数のタブ２１ｂ、２１ｃを突出させた導電材２１と、該導電材２１のジョイント部２１ａに被せる絶縁樹脂製のカバー２２とからなり、該カバー２２にタブ２１ｂ、２１ｃと同一方向に突出させたリブ２２ｂを設けている一方、リレー搭載部１２Ａにリブ嵌合凹部１４を設け、該リブ嵌合凹部１４にカバー２２のリブ２２ｂを嵌合させるとタブ２１ｂ、２１ｃがリレー搭載部１２Ａの所定の端子孔１３ａ、１３ｂにのみ挿入可となる構成としている。  【選択図】  図７
2005287203.tif 000002
【特許請求の範囲】
【請求項１】
ケース外面に設けたリレー搭載部の所要の端子孔に、ショート端子に設けた複数のタブを挿入し、ケース内部の接点回路部に前記タブを接続させてショート回路を形成しており、
前記ショート端子には、前記タブと同一方向に突出させたリブを設けている一方、
前記リレー搭載部にリブ嵌合凹部を設け、該リブ嵌合凹部に前記リブを嵌合させると前記タブがリレー搭載部の所定の端子孔にのみ挿入可となる構成としていることを特徴とする電気接続箱。
【請求項２】
前記ショート端子は、前記ジョイント部から複数の前記タブを突出させた導電材と、ジョイント部に被せる絶縁樹脂製のカバーとからなり、該カバーに前記タブと同一方向に突出させた前記リブを設けている請求項１に記載の電気接続箱。
【請求項３】
前記リブを前記タブよりも突出させている請求項１または請求項２に記載の電気接続箱。
【請求項４】
前記ショート端子のジョイント部は前記カバーにロック結合、あるいはモールドされている請求項２または請求項３に記載の電気接続箱。
【請求項５】
前記リブ嵌合凹部は長方形とする一方、前記リブは断面長方形あるいは断面Ｌ形状とし、前記リブを９０度回転させると前記リブ嵌合凹部にリブが挿入出来ない形状としている請求項１乃至請求項４のいずれか１項に記載の電気接続箱。
【発明の詳細な説明】
【技術分野】
【０００１】
本発明は、電気接続箱に関し、詳しくは、ケース外面に設けたリレー搭載部の端子孔へ挿入してショート回路を形成するショート端子の誤挿入を防止するものである。
【背景技術】
【０００２】
従来、自動車に搭載する電気接続箱の内部回路の構成は、自動車の車種やグレード等によって異なっており、例えば、内部回路を導電性金属板を所要形状に打ち抜き加工したバスバーにより形成する場合、それぞれの内部回路構成に合わせて異なるバスバーパターンを形成して各内部回路を形成しているものがある。
【０００３】
しかしながら、前記のように各内部回路ごとにバスバーパターンを形成すると、各バスバーパターンに応じた入れ子が必要になったり、場合によっては異なる金型が必要になりコスト高になる問題がある。また、バスバーの種類が増えるとそれだけ管理も煩雑となる。
【０００４】
そこで、実開平１−１０７８８２号（特許文献１）において、リレ取付部を利用してショート回路を形成することが開示されている。即ち、図９（Ａ）（Ｂ）に示すように、内部回路のバスバーにリレーの端子と接続される複数のタブ１〜４を突設し、タブ１と２とを短絡させる必要がない電気接続箱ではそのままとしておく一方、タブ１と２とを短絡させる必要がある電気接続箱では、両端に雌端子部５ａを設けた短絡コネクタ５’あるいはショート端子５をタブ１、２に接続してタブ１と２とを短絡させている。これにより、前記２種類の内部回路を形成するのに異なるバスバーを形成する必要がなく、短絡コネクタ５’あるいはショート端子５を接続しているだけであるため、コストを低減でき、バスバーの管理を煩雑にすることもない。
【０００５】
しかしながら、実開平１−１０７８８２号で開示されている図９（Ａ）（Ｂ）のいずれの構造であっても、短絡コネクタ５’あるいはショート端子５は異なるバスバーのタブ３と４にも接続することができるため、誤って異なるバスバー同士を短絡させてしまうおそれがある。
【特許文献１】実開平１−１０７８８２号公報
【発明の開示】
【発明が解決しようとする課題】
【０００６】
本発明は前記問題に鑑みてなされたものであり、ショート端子を用いて内部回路の接点回路部にショート回路を形成する電気接続箱において、ショート端子の誤挿入を防止することを課題としている。
【課題を解決するための手段】
【０００７】
前記課題を解決するため、本発明は、ケース外面に設けたリレー搭載部の所要の端子孔に、ショート端子に設けた複数のタブを挿入し、ケース内部の接点回路部に前記タブを接続させてショート回路を形成しており、
前記ショート端子には、前記タブと同一方向に突出させたリブを設けている一方、
前記リレー搭載部にリブ嵌合凹部を設け、該リブ嵌合凹部に前記リブを嵌合させると前記タブがリレー搭載部の所定の端子孔にのみ挿入可となる構成としていることを特徴とする電気接続箱を提供している。
【０００８】
前記構成によれば、ショート端子にタブと同一方向に突出させたリブを設ける一方、該ショート端子によりショート回路を形成する接点回路部を内部に備えたリレー搭載部にリブ嵌合凹部を設けているため、ショート端子のタブをリレー搭載部の所定の端子孔に挿入しようとすると、ショート端子のリブがリレー搭載部のリブ嵌合凹部に挿入され、該タブを所定の端子孔に挿入することができる。これに対し、ショート端子によりショート回路を形成しない内部回路を備えたリレー搭載部にはリブ嵌合凹部を設けていないもしくは前記リブに対応したリブ嵌合凹部を設けていないため、このリレー搭載部の端子孔にショート端子のタブを挿入しようとすると、ショート端子のリブがリレー搭載部の壁面に当接され、該タブを端子孔に挿入することができない。これにより、前記ショート端子のタブをリレー搭載部の所定の端子孔にのみ挿入することができ、他のリレー搭載部の端子孔への誤挿入を防止することができる。
【０００９】
前記ショート端子は、前記ジョイント部から複数の前記タブを突出させた導電材と、ジョイント部に被せる絶縁樹脂製のカバーとからなり、該カバーに前記タブと同一方向に突出させた前記リブを設けている。
前記構成によれば、カバーによりショート端子を保護することができる。
また、リブを樹脂により形成しているため、リブの大きさ、形状、強度等を自由に設定できる。
【００１０】
前記リブを前記タブよりも突出させていることが好ましい。
前記構成によれば、誤ったリレー搭載部にショート端子を取り付けようとした場合、タブの先端が端子孔に挿入される前にリブ先端がリレー搭載部の壁面に当接するため、タブはケース内部の接点回路部に接触されず、ショート回路の形成を確実に防止することができる。
【００１１】
前記ショート端子のジョイント部は前記カバーにロック結合、あるいはモールドされている。
【００１２】
前記構成によれば、ショート端子のジョイント部にカバーをロック結合もしくはモールドすることでショート回路を形成するためのショート端子を簡単に形成できる。
また、ショート端子の導電材は従来から用いていたものと同形状であるためそのまま使用することができる。
さらに、複数箇所にショート回路を形成する場合、ショート端子は相手方の各接点回路部に対してそれぞれ設ける必要があるが、前記カバーは異なるショート端子の導電材にもロック結合もしくはモールドできるためカバーを共用化することができる。
【００１３】
前記リブ嵌合凹部は長方形とする一方、前記リブは断面長方形あるいは断面Ｌ形状とし、前記リブを９０度回転させると前記リブ嵌合凹部にリブが挿入出来ない形状としていることが好ましい。
【００１４】
前記構成によれば、前記ショート端子を９０度回転させるとリブ嵌合凹部にリブが挿入できないため、同一のリレー搭載部においても誤って所定以外の貫通孔にタブを挿入してショート回路を形成してしまうことを防止できる。
【発明の効果】
【００１５】
前述したように、本発明によれば、ショート端子にタブと同一方向に突出させたリブを設ける一方、該ショート端子によりショート回路を形成する接点回路部を内部に備えたリレー搭載部にリブ嵌合凹部を設けているため、ショート端子のタブをリレー搭載部の所定の端子孔に挿入しようとすると、ショート端子のリブがリレー搭載部のリブ嵌合凹部に挿入され、該タブを所定の端子孔に挿入することができる。これに対し、ショート端子によりショート回路を形成しない内部回路を備えたリレー搭載部にはリブ嵌合凹部を設けていないため、このリレー搭載部の端子孔にショート端子のタブを挿入しようとすると、ショート端子のリブがリレー搭載部の壁面に当接され、該タブを端子孔に挿入することができない。これにより、前記ショート端子のタブをリレー搭載部の所定の端子孔にのみ挿入することができ、他のリレー搭載部の端子孔への誤挿入を防止することができる。
【００１６】
また、前記リブ嵌合凹部は長方形とする一方、前記リブは断面長方形あるいは断面Ｌ形状とし、前記リブを９０度回転させると前記リブ嵌合凹部にリブが挿入できない形状としておくと、同一のリレー搭載部においても所定以外の端子孔へのタブの誤挿入を防止することができる。
【発明を実施するための最良の形態】
【００１７】
本発明の実施形態を図面を参照して説明する。
図１乃至図８は、本発明の実施形態を示し、電気接続箱１０のアッパーケース１１の外面に２つのリレー搭載部１２Ａ、１２Ｂを設けている。
【００１８】
後述するショート端子２１を取り付けるリレー搭載部１２Ａは、図２（Ａ）に示すように、複数の端子孔１３を設けていると共に、該端子孔１３に囲まれた中央に長方形状のリブ嵌合凹部１４を設けている。一方、ショート端子２０を取り付けないリレー搭載部１２Ｂには、図２（Ｂ）に示すように、リレー搭載部１２Ａと同様の端子孔１３を設けているが、リブ嵌合凹部１４は設けていない。
また、リレー搭載部１２Ａ、１２Ｂの下方のケース内部には、図７及び図８に示すように、互いに導通していない接点回路部となるバスバー１５、１６の圧接タブ１５ａ、１６ａが設けられており、該圧接タブ１５ａ、１６ａは所定の端子孔１３ａ、１３ｂに貫通された端子に圧接される。
【００１９】
前記リレー搭載部１２Ａに取り付けるショート端子２０の導電材２１は、図５に示すように、ジョイント部２１ａから幅方向を互いに直交方向とした２つのタブ２１ｂ、２１ｃを突設している。また、ジョイント部２１ａの所要箇所にジョイント部２１ａに被せるカバー２２のロック爪２２ｈを係止するロック孔２１ｄを穿設している。
【００２０】
前記導電材２１のジョイント部２１ａに被せるカバー２２は、図６に示すように、導電材２１のジョイント部２１ａを覆うカバー部２２ａの底壁２２ｆから下方に断面Ｌ形状のリブ２２ｂを突設している。該リブ２２ｂの一辺２２ｂ−１を長辺とする一方、該一辺２２ｂ−１に直交する他辺２２ｂ−２は短辺とし、リブ２２ｂの外面が前記リレー搭載部１２Ａのリブ嵌合凹部１４の内面に沿って嵌合できる設定としている。よって、リブ２２ｂの長辺とリブ嵌合凹部の長辺とを対応させればリブ２２ｂはリブ嵌合凹部１４に挿入されるが、リブ２２ｂを９０度回転させてリブ２２の長辺をリブ嵌合凹部１４の短辺に対応させるとリブ２２がリレー搭載部１４の壁面に当接して挿入できないようになっている。
【００２１】
カバー２２のカバー部２２ａは、一側開口の薄いボックス形状とし、該開口２２ｃからカバー部２２ａ内に導電材２１のジョイント部２１ａが挿入される。カバー部２２ａの他の側壁２２ｄ及び上壁２２ｅでジョイント部２１ａを覆い、ショート端子２０をリレー搭載部１２Ａに取り付けた状態で導電材２１が外部に露出しないようにしている。リブ２２ｂを突設した底壁２２ｆには、開口２２ｃ側から切欠２２ｇを設けて、この霧欠いた部位から導電材２１のタブ２１ｂ、２１ｃを突出させている。
また、上壁２２ｅの内面には、導電材２１のジョイント部２１ａのロック孔２１ｄに対応する位置にロック爪２２ｈを設けて、該ロック爪２２ｈをカバー部２２ａ内に挿入した導電材２１のジョイント部２１ａのロック孔２１ｄに係止させて導電材２１とカバー２２とをロック結合し、ショート端子２０を形成している。なお、導電材２１とカバー２２をロック結合した状態で、カバー２２に設けたリブ２２ｂは導電材２１のタブ２１ｂ、２１ｃよりも突出している。
【００２２】
図７（Ａ）に示すように、ショート回路を形成する必要のある内部回路を備えたリレー搭載部１２Ａにショート端子２０を取り付けようとすると、図７（Ｂ）に示すように、ショート端子２０のタブ２１ｂ、２１ｃが端子孔１３ａ、１３ｂに挿入されると共に、リブ２２ｂがリレー搭載部１２Ａに設けたリブ嵌合凹部１４に挿入され、タブ２１ｂ、２１ｃに内部回路の圧接タブ１５ａ、１６ａが圧接される。これにより、バスバー１５と１６がショート端子２０を介して導通されショート回路が形成される。
【００２３】
一方、ショート回路を形成する必要のない内部回路を備えたリレー搭載部１２Ｂにショート端子２０を取り付けようとすると、図８に示すように、ショート端子２０のカバー２２に設けたリブ２２ｂがリレー搭載部１２Ｂの外面に当接して挿入することができない。
【００２４】
これにより、ショート端子２０のタブ２１ｂ、２１ｃを所定のリレー搭載部１２Ａの端子孔１３ａ、１３ｂにのみ貫通させることができ、ショート端子２０の誤挿入を防止することができる。
【００２５】
なお、本実施形態では、ショート端子の導電材とカバーをロック結合しているが、ショート端子のジョイント部にモールドによりカバーを設けてもよい。
また、カバーに設けたリブは、リレー搭載部に設けたリブ嵌合凹部と同形状の断面長方形としてもよいし、断面コ字状としてもよい。
また、ショート端子の導電材に設けたタブは２つに限らず、３つ以上でもよい。
さらに、前記リブはカバーから突出させて設けず、ショート端子を形成している導電材をジョイント部からタブと同一方向に折り曲げて、この折り曲げた部位をリブとして用いてもよい。
【図面の簡単な説明】
【００２６】
【図１】本発明の実施形態の電気接続箱の平面図である。
【図２】（Ａ）はショート端子を取り付けるリレー搭載部の平面図、（Ｂ）はショート端子を取り付けないリレー搭載部の平面図、（Ｃ）はショート端子をリレー搭載部に取り付けた状態を示す図面である。
【図３】ショート端子の斜視図である。
【図４】ショート端子を示し、（Ａ）は平面図、（Ｂ）は正面図、（Ｃ）は底面図である。
【図５】ショート端子の導電材を示し、（Ａ）は平面図、（Ｂ）は正面図である。
【図６】カバーを示し（Ａ）は上下逆方向の背面図、（Ｂ）は平面図、（Ｃ）は正面図、（Ｄ）は底面図、（Ｅ）Ａ−Ａ線断面図、（Ｆ）Ｂ−Ｂ線断面図である。
【図７】（Ａ）（Ｂ）は所定のリレー搭載部にショート端子を取り付ける方法を示す図面である。
【図８】所定以外のリレー搭載部にショート端子を取り付けようとした状態を示す図面である。
【図９】（Ａ）（Ｂ）は従来例を示す図面である。
【符号の説明】
【００２７】
１０  電気接続箱
１２Ａ、１２Ｂ  リレー搭載部
１３  端子孔
１４  リブ嵌合凹部
１５、１６  バスバー
１５ａ、１６ａ  圧接タブ
２０  ショート端子
２１  導電材
２１ａ  ジョイント部
２１ｂ、２１ｃ  タブ
２２  カバー
２２ｂ  リブ
【図１】
2005287203.tif 000003
【図２】
2005287203.tif 000004
【図３】
2005287203.tif 000005
【図４】
2005287203.tif 000006
【図５】
2005287203.tif 000007
【図６】
2005287203.tif 000008
【図７】
2005287203.tif 000009
【図８】
2005287203.tif 000010
【図９】
2005287203.tif 000011